(57)【特許請求の範囲】
【請求項１】
内部にスクリーンタイプのスパークアレスターを備えたエンジン排気消音用のマフラ装置において、
筒状のマフラボディ内には、隔壁を挟んで該ボディ後端から先方に向けて第一および第二の排気膨張室を形成し、
マフラボディ後端の第一排気膨張室に隔壁を貫通して上流側から排気を流入させる流入管路を挿通し、
第一および第二の排気膨張室同士を連通する連通路を前記隔壁を貫通して設け、
マフラ内排気を排出するテールパイプをマフラボディ後端部から第一の排気膨張室を通り隔壁を貫通して第二の排気膨張室に挿通させて着脱可能に設け、
前記第二の排気膨張室内に位置するテールパイプの先端部に着脱可能であって、マフラ中心とは偏心した位置にアレスター中心を位置させてスパークアレスターを設けたことを特徴とする車両用スパークアレスター付マフラ装置。
【請求項２】
アレスター外周部の隔壁に対応する個所にスペーサを設け、このスペーサにより隔壁の貫通孔内周部に密着させてスパークアレスターをマフラボディ内に抜き差し可能に支持したことを特徴とする請求項１に記載の車両用スパークアレスター付マフラ装置。
【請求項３】
スペーサは、スパークアレスターの後端部であって、ほぼテールパイプの長さ方向中央に位置して設けたことを特徴とする請求項２に記載の車両用スパークアレスター付マフラ装置。
【発明の詳細な説明】
【０００１】
【発明の属する技術分野】
この発明は、オフロード用オートバイなどの車両用のスパークアレスター付マフラ装置に関する。
【０００２】
【従来の技術】
オートバイのマフラ装置は、通常、外観筒型を呈し、マフラ装置前端にエンジンの排気管を連結して、エンジンから排出された排気ガスをマフラ装置内の複数の排気膨張消音室で消音した後にマフラ後端のテールパイプから外部に放出するようにしている。
そして、オフロードを走行できるようにした種類のオフロード用などの自動二輪車では、スパークアレスターを設けており、このスパークアレスターは、マフラ後部の排気ガス排出口に装着したテールパイプであって、マフラボディ内に位置するテールパイプの前端部に金網製のフィルターを取付けて、排気ガスに火の粉が含まれたときにその火の粉がマフラ外に放出されることを防止したものである。
【０００３】
スパークアレスターは例えば、図５に示すように、マフラ筒Ａの後端に設けられたテールパイプＢが挿着された膨張室内にある前側部分Ｂ１に、テールパイプＢと同径筒状の金網のフィルターＣを取付け、このフィルターＣで排気ガスを濾過して火の粉を取除き、火の粉がテールパイプＢからマフラ外に放出されるのを防止している。
【０００４】
ここで、スパークアレスターは、上記のように金網製のフィルターで排気ガスを濾過して火の粉がマフラ外に飛散することを防止する装置であるが、一般に運転時間が長くなると、該フィルターには煤状のカーボンが堆積しフィルターの網目を詰まらせてしまうため、詰まりがはなはだしい場合はエンジンの出力低下を起こすので定期的な清掃が必要である。
【０００５】
従来、マフラのスパークアレスターに関しては、実公昭６１−８１７８号に開示されるように、テールパイプの前端にスパークアレスターを取付けて一体にした状態で、マフラの最終膨張室内に当該テールパイプ前端を位置させたものがある（従来技術１）。また、実公昭６４−５０４９号に開示されるように、エンジンの排気をマフラに導入するエキゾーストパイプのマフラ内開放端、つまり、マフラの前端にスパークアレスターを設けたものがある（従来技術２）。さらには、実開昭６２−３４１１１号には、マフラ内に膨張室が二室形成され、テールパイプ前部に繋がるスパークアレスターがこの二室に跨って、配設されたものが開示されている（従来技術３）。
【０００６】
【発明が解決しようとする課題】
前記したように、スクリーンタイプのアレスターでは、取り外して清掃することがメンテナンス上重要であるが、前記従来技術２では、マフラ前端に設けたスパークアレスターでは、マフラ前端をエキゾーストパイプから取り外さなければ点検・交換することが困難であり、メンテナンス性が低い。また、マフラボディに対してアレスターが小径であれば、前記従来技術１および従来技術３でもメンテナンス性の点で問題は特に生じないが、マフラボディが小径であり、スパークアレスターがマフラボディに対して比較的大径の場合は消音性能との両立が問題となる。
また、特にマフラボディが長く複数の膨張室をマフラボディの長さ方向に持って消音機能を満足させかつスパークアレスターを装着したマフラ装置は従来提案されていなかった。また、自動二輪車においては、ライダーが運転中に乗車姿勢を頻繁に変化することが多い状況を考えると、前記のようにマフラボディが大径化することは、乗車姿勢が制限されて好ましくない。さらには、自動二輪車以外の不正地走行車両などの鞍乗り型車両においても、同様に、マフラボディの大径化は乗車姿勢を制限する問題点がある。
【０００７】
本発明は、かかる点に鑑みてなされたものであって、大径化を要することなくマフラ装置の消音機能を満足できると共に、先端にスパークアレスターを取付けたテールパイプの支持を確保しつつ取り外しを容易にしてスパークアレスターの着脱が簡単かつ掃除が楽でありメンテナンス性の高い車両用スパークアレスター付マフラ装置を提供することを目的とする。
【０００８】
【課題を解決するための手段】
上記目的を達成するために、本発明は次の構成を有する。
本発明は、車体に沿って延設された、内部にスクリーンタイプのスパークアレスターを備えたエンジン排気消音用のマフラ装置において、筒状のマフラボディ内には、隔壁を挟んで該ボディ後端から先方に向けて第一および第二の排気膨張室を形成し、マフラボディ後端の第一排気膨張室に隔壁を貫通して上流側から排気を流入させる流入管路を挿通し、第一および第二の排気膨張室同士を連通する連通路を前記隔壁を貫通して設け、マフラ内排気を排出するテールパイプをマフラボディ後端部から第一の排気膨張室を通り隔壁を貫通して第二の排気膨張室に挿通させて着脱可能に設け、前記第二の排気膨張室内に位置するテールパイプの先端部に着脱可能であって、マフラ中心とは偏心した位置にアレスター中心を位置させてスパークアレスターを設けたことを特徴とする車両用スパークアレスター付マフラ装置である。
【０００９】
本発明によれば、エンジン排気消音用のマフラ装置において、筒状のマフラボディ内には、隔壁を挟んで該ボディ後端から先方に向けて第一および第二の排気膨張室を形成し、マフラボディ後端の第一排気膨張室には隔壁を貫通して流入管路により上流側から排気を流入させ、連通路により第一の排気膨張室から第二の排気膨張室同士に排気を流入させ、この第二の排気膨張室から第一の排気膨張室を貫通したテールパイプにより排気をマフラボディ外に排出するので、上流からの排気は第一および第二の排気膨張室で反転して、膨張し消音されてテールパイプから排出される。したがって、テールパイプの長さを長く取れスパークアレスターの設置個所をマフラボディの後端から奥まった個所にできる。さらに、マフラ内排気を排出するテールパイプをマフラボディ後端部から第一の排気膨張室を通り隔壁を貫通して第二の排気膨張室に挿通させて着脱可能に設け、前記第二の排気膨張室内に位置するテールパイプの先端部に着脱可能とした。テールパイプをメンテナンス時などの必要時にテールパイプを外して、スパークアレスターの点検交換も容易にできる。もちろん、テールパイプ前端に設けたスパークアレスターは、排気ガス中に含まれた火の粉の通過を防ぎ、テールパイプから火の粉が放出されるのを防止する。また、マフラ中心とは偏心した位置にアレスター中心を位置させてスパークアレスターを設けたので、前記流入管と連通路をよけてテールパイプを装着してもその先端にスパークアレスターを余裕を持って設置することができ、マフラボディが太径化することがない。
なお、本発明において、アレスター外周部の隔壁に対応する個所にスペーサを設け、このスペーサにより隔壁の貫通孔内周部に密着させてスパークアレスターをマフラボディ内に抜き差し可能に支持したことが好適である。このようにすれば、テールパイプはスパークアレスター外周のスペーサで隔壁に容易かつ確実に支持できる。また、テールパイプの後端をマフラボディにボルト締着などで固定したものをメンテナンス時に取り外してテールパイプを引っ張ることにより、テールパイプを引き抜くことができ、脱着時の作業性を向上させ得るので、きわめて容易にテールパイプの点検・取替えなどのメンテナンスができる。
本発明において、スペーサは、スパークアレスターの後端部であって、ほぼテールパイプの長さ方向中央に位置して設けたことが好適である。これにより、スペーサを介してテールパイプほぼ中央を隔壁で支持でき、重量バランスが良くかつ支持個所が少なくて済むようにし、分品点数も少なくて済むのでコストを低下できる。
【００１０】
【発明の実施の形態】
以下、本発明の実施形態を図１ないし図４によって説明する。
図１は本実施形態に係る自動二輪車のエンジンからの排気系の外観説明図、図２はスパークアレスター付マフラ装置の縦断説明図、図３（ａ），（ｂ）は図２のＡ−Ａ線，Ｂ−Ｂ線に沿う横断視説明図、図４はテールパイプを抜いた状態の説明図である。
【００１１】
図１に示すように，前記自動二輪車においては、搭載されたエンジン１０のシリンダヘッド１０ａからエキゾーストパイプ１２が前方下向きに出てラジエター１４の下側を回りこんで右側に曲がり、車体右側に沿って後方に延びる。エキゾーストパイプ１２後部がマフラ装置１６に接続される。前記マフラ装置１６は、内部に金属メッシュからなるスクリーンタイプのスパークアレスター４０を備えたエンジン排気消音用のマフラ装置であって、複数の排気膨張室２８ａ、２８ｂ、２８ｃを備えたものである。前記マフラ装置１６の全体は，筒状で前後に長く、前部は後ろ開きのラッパ状で先が細く、その先部に前記エンジン１０からエキゾーストパイプ１２を挿入して連結したものである。
【００１２】
また、このマフラ装置１６の尾端には、図２に示すように，中央の開放した概略盤状の取付け部１８が溶着固定され、この取付け部１８に後方の絞られた概略漏斗形状のテールフランジ２０を重ね合せて、複数本のビスあるいはボルト２０ａで締着して連結する。
そして、マフラ装置１６の外壁部２２は，図２に示すように、外カバー２２ａと内筒２２ｂの二重構造であり、該マフラ装置１６の内部では、内筒２２ｂ内壁に周縁部が溶着等で固定された複数（実施形態では２枚）の全体概略盆状のバッフルプレート（仕切り板あるいは隔壁）２４，２６により複数(実施形態では３室)の排気膨張室（後方より順に第一の排気膨張室２８ａ，第二の排気膨張室２８ｂ，第三の排気膨張室２８ｃ）が形成される。バッフルプレート２４は周縁が本体平面から立ち上がって壁状を呈し，この壁状の周縁部分が後方向きになって前記内筒２２ｂ内周面に嵌入した状態で溶接などで固定されている。そして、後ろ側のバッフルプレート２４には３つの孔３０ａ，３０ｂ，３０ｃが、また，前側のバッフルプレート２６には一つの孔３２が、それぞれ縁の立ち上がった打ち抜き加工（バーリング加工）で形成され、前方に向いている（図２、図３参照）。
【００１３】
そして、マフラ装置１６においては、エキゾーストパイプ１２を通った排気ガスはまず前端の第三の排気膨張室２８ｃに流入する。そして、バッフルプレート２６からバッフルプレート２４を貫通して（孔３２と孔３０ａを挿通して）、マフラボディ後端の第一の排気膨張室２８ａに流入パイプ３４を挿通させて、該パイプ３４を上流側の排気膨張室２８ｃから排気を流入させる流入管路とする。
また、バッフルプレート２４には、第一および第二の排気膨張室２８ａ，２８ｂ同士を連通する連通パイプ（連通孔でもよい）３６を前記バッフルプレート２４を貫通して（孔３０ｂを挿通して）固定して設ける。
【００１４】
マフラ内排気を排出するテールパイプ３８をマフラボディ後端部の取付け部１８の孔１８ａから第一の排気膨張室２８ａを通りバッフルプレート２４を貫通して（孔３０ｃに挿通して）第二の排気膨張室２８ｂに挿通させて着脱可能に設ける。
【００１５】
また、前記第二の排気膨張室２８ｂ内に位置するテールパイプ３８の先端部に着脱可能であって、マフラ中心軸とは偏心した位置にアレスター中心軸を位置させてスパークアレスター４０を設けたものである。このスパークアレスター４０は、有底筒状を呈して金属メッシュからなるものであり、多数の小孔の開いたテールパイプ４０前端部を覆って嵌着されている。
【００１６】
また、前記スパークアレスター４０外周部の隔壁に対応する個所を取り巻くように、断面で前後に面取りした概略かまぼこ形状に隆起したスペーサ４２を一体、または別体に設けている。このスペーサ４２により隔壁の貫通孔内周部に摺設・密着させてスパークアレスター４０をマフラボディ内に抜き差し可能に支持したものである（図３、図４参照）。この場合、前記スペーサ４２は、スパークアレスター４０の後端部であって、ほぼテールパイプ３８の長さ方向中央に位置して設けたものである。
【００１７】
そして、スペーサ４２の外径ｄ２は、スパークアレスター４０外径ｄ１よりも大径に形成されており、スパークアレスター４０とテールパイプ３８はスペーサ４２を介してバッフルプレート２４に支持される。また、テールパイプ３８後端はテールフランジ２０に溶着などで固定され、取付け部１８の孔１８ａの径よりもスペーサ４２径が同じかそれ以下に形成され、図４に示すように、テールパイプ３８をマフラ本体から引き抜くときにスペーサ４２が引っかからないようになっている。
【００１８】
本実施形態のエンジン排気消音用のマフラ装置においては、筒状のマフラボディ内には、バッフルプレート２４を挟んで該ボディ後端から先方に向けて第一および第二の排気膨張室２８ａ、２８ｂを形成し、マフラボディ後端の第一排気膨張室２８ａにはバッフルプレート２４を貫通して流入パイプ３４により上流側から排気を流入させ、連通パイプ３６により第一の排気膨張室２８ａから第二の排気膨張室２８ｂに排気を流入させ、この第二の排気膨張室２８ｂから第一の排気膨張室２８ａを貫通したテールパイプ３８により排気をマフラボディ外に排出するので、上流からの排気は第一および第二の排気膨張室２８ａ、２８ｂで反転して、膨張し消音されてテールパイプ３８から排出される。したがって、テールパイプ３８の長さを長く取れスパークアレスター４０の設置個所をマフラボディの後端から奥まった個所にできる。
【００１９】
さらに、マフラ内排気を排出するテールパイプ３８をマフラボディ後端部から第一の排気膨張室２８ａを通りバッフルプレート２４を貫通して第二の排気膨張室２８ｂに挿通させて着脱可能に設け、前記第二の排気膨張室２８ｂ内に位置するテールパイプ３８の先端部に着脱可能とした。図４に示すように、テールパイプ３８をメンテナンス時などの必要時に外して、スパークアレスター４０の点検交換も容易にできる。もちろん、テールパイプ３８前端に設けたスパークアレスター４０は、排気ガス中に含まれた火の粉の通過を防ぎ、テールパイプ３８から火の粉が放出されるのを防止する。また、スパークアレスター４０をマフラ中心とは偏心した位置にアレスター中心を位置させて設けたので、前記流入パイプ３４と連通パイプ３６をよけてテールパイプ３８を装着してもその先端にスパークアレスター４０を余裕を持って設置することができ、マフラボディが太径化することがない。
【００２０】
なお、スパークアレスター４０外周部の隔壁に対応する個所にスペーサ４２を設け、このスペーサ４２によりバッフルプレ−ト２４の貫通孔３０ｃ内周部に密着させてスパークアレスター４０をマフラボディ内に抜き差し可能に支持したので、テールパイプ３８はスパークアレスター４０外周のスペーサ４２でバッフルプレート２４に容易かつ確実に支持できる。また、テールパイプ３８の後端をマフラボディにボルト２０ａによる締着などで固定したものをメンテナンス時に取り外してテールパイプ３８を引っ張ることにより、テールパイプを引き抜くことができ、脱着時の作業性を向上させ得るので、きわめて容易にテールパイプ３８の点検・取替えなどのメンテナンスができる。
【００２１】
また、スペーサ４２は、スパークアレスター４２の後端部であって、ほぼテールパイプ３８の長さ方向中央に位置して設けたので、スペーサ４２を介してテールパイプ３８ほぼ中央を隔壁で支持でき、重量バランスが良くかつ支持個所が少なくて済むようにし、分品点数も少なくて済むのでコストを低下できる。
【００２２】
【発明の効果】
以上説明したように、この発明は上述のように構成したので、上流からの排気は第一および第二の排気膨張室で反転して、膨張し消音されてテールパイプから排出される。したがって、テールパイプの長さを長く取れスパークアレスターの設置個所をマフラボディの後端から奥まった個所にできる。また、マフラ内排気を排出するテールパイプをマフラボディ後端部から第一の排気膨張室を通り隔壁を貫通して第二の排気膨張室に挿通させて着脱可能に設け、前記第二の排気膨張室内に位置するテールパイプの先端部にスパークアレスターを着脱可能としたとしたと共に、テールパイプをメンテナンス時などの必要時に外して、スパークアレスターの点検交換も容易にできる。もちろん、テールパイプ前端に設けたスパークアレスターは、排気ガス中に含まれた火の粉の通過を防ぎ、テールパイプから火の粉が放出されるのを防止する。また、スパークアレスターをマフラ中心とは偏心した位置にアレスター中心を位置させてスパークアレスターを設けたので、前記流入管と連通管をよけてテールパイプを装着してもその先端にスパークアレスターを余裕を持って設置することができ、マフラボディが太径化することがない。
【００２３】
なお、本発明において、アレスター外周部の隔壁に対応する個所にスペーサを設け、このスペーサにより隔壁の貫通孔内周部に密着させてスパークアレスターをマフラボディ内に抜き差し可能に支持すれば、テールパイプはスパークアレスター外周のスペーサで隔壁に容易かつ確実に支持できる。また、テールパイプの後端をマフラボディにボルト締着などで固定したものをメンテナンス時に取り外してテールパイプを引っ張ることにより、テールパイプを引き抜くことができ、脱着時の作業性を向上させ得るので、きわめて容易にテールパイプの点検・取替えなどのメンテナンスができる。
【００２４】
本発明において、スペーサは、スパークアレスターの後端部であって、ほぼテールパイプの長さ方向中央に位置して設けたものにすれば、スペーサを介してテールパイプほぼ中央を隔壁で支持でき、重量バランスが良くかつ支持個所が少なくて済むようにし、分品点数も少なくて済むのでコストを低下できる。
【図面の簡単な説明】
【図１】本実施形態に係る自動二輪車のエンジンからの排気系の外観説明図である。
【図２】スパークアレスター付マフラ装置の縦断説明図である。
【図３】（ａ），（ｂ）は図２のＡ−Ａ線，Ｂ−Ｂ線に沿う横断視説明図である。
【図４】テールパイプを抜いた状態の説明図である。
【図５】従来の一例を示す縦断略図である。
【符号の説明】
１６  マフラ装置
１８  取付け部
２４，２６  バッフルプレート
２８ａ，２８ｂ，２８ｃ  排気膨張室
３０ａ，３０ｂ，３０ｃ  バッフルプレートの貫通孔
３２  バッフルプレートの貫通孔
３４  流入パイプ
３６  連通パイプ
３８  テールパイプ
４０  スパークアレスター
４２  スペーサ
【図１】
0003823671.tif 000002
【図２】
0003823671.tif 000003
【図３】
0003823671.tif 000004
【図４】
0003823671.tif 000005
【図５】
0003823671.tif 000006